(57)【要約】【課題】偽輪郭を低減できサブフィールドの長さを減らせるプラズマ表示装置を提供する。【解決手段】複数の行電極を第１及び第２行グループに分けて第１行及び第２行グループの行電極をそれぞれ複数の第１及び第２副グループに分けて駆動する。この時、一つのフィールドの複数のサブフィールドのうち、第１サブフィールドグループの各第１サブフィールドにおいて、複数の第１及び第２副グループのうちのそれぞれ一つの第１及び第２グループの発光セルのうち、非発光セルを選択しながらそれぞれ複数の第２及び第１副グループのうちの少なくとも一つのそれぞれ第２及び第１副グループの発光セルを少なくとも一つのそれぞれ第２及び第１副グループに各々対応するそれぞれ第１及び第２期間の間、維持放電させる。このようにすると、ある一行グループで非発光セルを選択する間の他の一行グループで維持放電を行えるので、一つのサブフィールドの長さを減らせる。【選択図】図１０
2007114783.tif 000002
【特許請求の範囲】
【請求項１】
複数の行電極と複数の列電極、更に、前記複数の行電極および前記複数の列電極によって各々定義される複数の放電セル、を含むプラズマ表示装置において、一つのフィールドを複数のサブフィールドに分けて駆動する方法であって、
前記複数の行電極を第１及び第２行グループに分けて、前記第１行グループの行電極を複数の第１副グループに分けて前記第２行グループの行電極を複数の第２副グループに分ける段階、
前記複数のサブフィールドのうち、第１サブフィールドグループの各第１サブフィールドにおいて、前記複数の第１副グループのうちの一つの第１副グループの発光セルのうち、非発光セルを選択しながら前記複数の第２副グループのうちの少なくとも一つの第２副グループの発光セルを前記少なくとも一つの第２副グループに各々対応する第１期間の間維持放電させる段階、そして
前記各第１サブフィールドにおいて、前記複数の第２副グループのうちの一つの第２副グループの発光セルのうち、非発光セルを選択しながら前記複数の第１副グループのうちの少なくとも一つの第１副グループの発光セルを前記少なくとも一つの第１副グループに各々対応する第２期間の間、維持放電させる段階を含むことを特徴とするプラズマ表示装置の駆動方法。
【請求項２】
前記各第１サブフィールドにおいて、前記複数の第１副グループのうち、他の一つの第１副グループの発光セルのうち、非発光セルを選択しながら前記複数の第２副グループのうちの少なくとも一つの第２副グループの発光セルを前記少なくとも一つの第２副グループに各々対応する第３期間の間、維持放電させる段階、そして
前記各第１サブフィールドにおいて、前記複数の第２副グループのうち、他の一つの第２副グループの発光セルのうち、非発光セルを選択しながら前記複数の第１副グループのうちの少なくとも一つの第１副グループの発光セルを前記少なくとも一つの第１副グループに各々対応する第４期間の間、維持放電させる段階をさらに含むことを特徴とする請求項１に記載のプラズマ表示装置の駆動方法。
【請求項３】
前記第１サブフィールドグループのうち、時間的に最も先に位置する第１サブフィールドにおいて、前記非発光セルを選択する前に、前記複数の放電セルを発光セルに設定する段階をさらに含むことを特徴とする請求項２に記載のプラズマ表示装置の駆動方法。
【請求項４】
前記第１サブフィールドグループと連続して、時間的に先にある第２サブフィールドにおいて、前記第１行グループの放電セルから発光セルを選択し、前記第１行グループの発光セルを維持放電させる段階、そして
前記第２サブフィールドにおいて、前記第２行グループの放電セルから発光セルを選択し、前記第２行グループの発光セルを維持放電させる段階をさらに含むことを特徴とする請求項２に記載のプラズマ表示装置の駆動方法。
【請求項５】
前記第２サブフィールドにおいて、前記第１行グループの発光セルを選択する前に、前記複数の放電セルを非発光セルに設定する段階をさらに含むことを特徴とする請求項４に記載のプラズマ表示装置の駆動方法。
【請求項６】
前記第２サブフィールドにおいて、前記第２行グループの発光セルが維持放電する期間のうち、一部期間の間、前記第１行グループの発光セルは維持放電しないことを特徴とする請求項５に記載のプラズマ表示装置の駆動方法。
【請求項７】
前記第２サブフィールドにおいて、前記第２行グループの発光セルが維持放電する期間のうち、前記一部期間を除いた残り期間の間、前記第１行グループの発光セルが維持放電することを特徴とする請求項６に記載のプラズマ表示装置の駆動方法。
【請求項８】
前記第１サブフィールドグループのうちの少なくとも一つの第１サブフィールドにおいて、
前記複数の第２副グループの発光セルが前記第１期間の間、維持放電し、前記複数の第１副グループの発光セルが前記第２期間の間、維持放電することを特徴とする請求項１乃至請求項７のうちのいずれか一項に記載のプラズマ表示装置の駆動方法。
【請求項９】
前記第１サブフィールドグループのうちの少なくとも一つの第１サブフィールドにおいて、
前記第１期間は前記一つの第１副グループの発光セルのうち、非発光セルを選択する期間と同一であることを特徴とする請求項１乃至請求項７のうちのいずれか一項に記載のプラズマ表示装置の駆動方法。
【請求項１０】
前記第１サブフィールドグループのうちの少なくとも一つの第１サブフィールドにおいて、
前記少なくとも一つの第２副グループの発光セルは、前記一つの第１副グループの発光セルのうち、非発光セルを選択する期間で前記対応する第１期間を除いた期間の間、維持放電せず、
前記少なくとも一つの第１副グループの発光セルは、前記一つの第２副グループの発光セルのうち、非発光セルを選択する期間で前記対応する第２期間を除いた期間の間、維持放電されないことを特徴とする請求項１乃至請求項７のうちのいずれか一項に記載のプラズマ表示装置の駆動方法。
【請求項１１】
前記第１サブフィールドグループのうちの少なくとも一つの第１サブフィールドにおいて、
前記一つの第１副グループの発光セルのうち、非発光セルを選択する期間の間、前記複数の第２副グループのうち、前記少なくとも一つの第２副グループを除いた残り第２副グループは維持放電されないことを特徴とする請求項１乃至請求項７のうちのいずれか一項に記載のプラズマ表示装置の駆動方法。
【請求項１２】
前記複数の行電極は複数の第１電極及び前記複数の第１電極と共に表示動作を行う複数の第２電極を含み、前記各行電極は前記各第１電極及び前記各第２電極によって定義され、
前記複数の第２副グループのうちの少なくとも一つの第２副グループの発光セルを各々相当する前記第１期間の間、維持放電させる段階は、
前記少なくとも一つの第２副グループの前記複数の第１及び第２電極に各々第１及び第２維持放電パルスを前記対応する第１期間の間、少なくとも１回印加する段階を含めて、
前記複数の第１副グループのうちの少なくとも一つの第１副グループの発光セルを各々相当する第２期間の間、維持放電させる段階は、
前記少なくとも一つの第１副グループの前記複数の第１及び第２電極に各々前記第１及び第２維持放電パルスを前記対応する第２期間の間、少なくとも１回印加する段階を含めて、
前記第１維持放電パルスと前記第２維持放電パルスとはハイレべルとローレベル電圧を反対位相で有することを特徴とする請求項１乃至請求項７のうちのいずれか一項に記載のプラズマ表示装置の駆動方法。
【請求項１３】
前記複数の行電極は複数の第１電極及び前記複数の第１電極と共に表示動作を行う複数の第２電極を含み、前記各行電極は前記各第１電極及び前記各第２電極によって定義され、
前記複数の第２副グループのうちの少なくとも一つの第２副グループの発光セルを各々相当する前記第１期間の間、維持放電させる段階は、
前記複数の第２副グループの前記複数の第１電極に第１電圧を印加した状態で、前記少なくとも一つの第２副グループの前記複数の第２電極にハイレベルとローレベルを交互に有する維持放電パルスを前記対応する第１期間の間、少なくとも１回印加する段階を含めて、
前記複数の第１副グループのうちの少なくとも一つの第１副グループの発光セルを各々相当する第２期間の間、維持放電させる段階は、
前記複数の第１副グループの前記複数の第１電極に前記第１電圧を印加した状態において、前記少なくとも一つの第１副グループの前記複数の第２電極に前記維持放電パルスを前記対応する第２期間の間、少なくとも１回印加する段階を含むことを特徴とする請求項１乃至請求項７のうちのいずれか一項に記載のプラズマ表示装置の駆動方法。
【請求項１４】
前記第１サブフィールドグループの各第１サブフィールドは同一の加重値を有することを特徴とする請求項１乃至請求項７のうちのいずれか一項に記載のプラズマ表示装置の駆動方法。
【請求項１５】
前記第１サブフィールドグループの一部の第１サブフィールドは同一な加重値を有して、前記第１サブフィールドの前記残り一部の第１サブフィールドは前記一部の第１サブフィールドの加重値より小さい加重値を各々有することを特徴とする請求項１乃至請求項７のうちのいずれか一項に記載のプラズマ表示装置の駆動方法。
【請求項１６】
前記第１行グループは前記複数の行電極のうち、前記プラズマ表示装置の上部に位置した行電極を含み、
前記第２行グループは前記複数の行電極のうち、前記プラズマ表示装置の下部に位置した行電極を含むことを特徴とする請求項１乃至請求項７のうちのいずれか一項に記載のプラズマ表示装置の駆動方法。
【請求項１７】
表示動作を行う複数の行電極及び前記行電極に交差する方向に形成される複数の列電極を含み、前記複数の行電極及び複数の列電極によって、複数の放電セルが形成されるプラズマ表示パネル、
一つのフィールドを複数のサブフィールドに分けて、前記複数の行電極を第１及び第２行グループに分けて、前記第１行グループの行電極を複数の第１副グループに分けて、前記第２行グループの行電極を複数の第２副グループに分ける制御部、そして
前記複数の行電極及び前記複数の列電極を駆動する駆動部を含めて、
前記駆動部は、
前記複数のサブフィールドのうち、連続する複数の第１サブフィールド各々において、前記複数の第１副グループの各第１副グループに対する第１期間の間、前記各第１副グループの発光セルのうち、非発光セルを選択し、前記第１期間のうち、少なくとも一部の第２期間の間、前記複数の第２副グループのうちの少なくとも一つの第２副グループの発光セルを維持放電させて、
前記複数の第２副グループの各第２副グループに対する第３期間の間、前記各第２副グループの発光セルのうち、非発光セルを選択し、前記第３期間のうち、少なくとも一部の第４期間の間、前記複数の第１副グループのうちの少なくとも一つの第１副グループの発光セルを維持放電させて、
前記第３期間は隣接した前記第１期間の間に位置するプラズマ表示装置。
【請求項１８】
前記複数の第１サブフィールドと連続して、時間的に先にある第２サブフィールドにおいて、
前記駆動部は、
前記第１行グループの放電セルのうち、発光セルを選択し前記第１行グループの発光セルを維持放電させて、前記第２行グループの放電セルのうち、発光セルを選択し前記第２行グループの発光セルを維持放電させることを特徴とする請求項１７に記載のプラズマ表示装置。
【請求項１９】
前記駆動部は、
前記第２サブフィールドにおいて前記発光セルを選択する前に、前記複数の放電セルを非発光セルに設定することを特徴とする請求項１８に記載のプラズマ表示装置。
【請求項２０】
前記第２期間は前記第１期間より短くて、前記第４期間は前記第３期間より短いことを特徴とする請求項１８に記載のプラズマ表示装置。
【請求項２１】
前記第２期間は前記第１期間と実質的に同一であり、前記第４期間は前記第３期間と実質的に同一であることを特徴とする請求項１８に記載のプラズマ表示装置。
【請求項２２】
前記制御部は、
前記複数の行電極のうち、前記プラズマ表示パネルの上部に形成された行電極を前記第１行グループに設定して、前記複数の行電極のうち、前記プラズマ表示パネルの下部に形成された行電極を前記第２行グループに設定することを特徴とする請求項１７乃至請求項２１のうちのいずれか一項に記載のプラズマ表示装置。
【請求項２３】
複数の行電極と複数の列電極、そして前記複数の行電極及び前記複数の列電極によって、各々定義される複数の放電セルを含むプラズマ表示装置において、一つのフィールドを複数のサブフィールドに分けて駆動する方法において、
前記複数の行電極を第１及び第２行グループに分けて、前記第１行グループの行電極を複数の第１副グループに分けて前記第２行グループの行電極を複数の第２副グループで分ける段階、
前記複数のサブフィールドのうちの少なくとも一つの第１サブフィールドにおいて、前記第１行グループの放電セルから発光セルを選択し、前記第１行グループの発光
セルを維持放電させる段階、
前記第１サブフィールドにおいて、前記第２行グループの放電セルから発光セルを選択し、前記第２行グループの発光セルを維持放電させる段階、
前記複数のサブフィールドのうち、複数の第２サブフィールドの各第２サブフィールドにおいて、前記複数の第１副グループのうちの一つの第１副グループの発光セルのうち、非発光セルを選択しながら前記複数の第２副グループのうちの少なくとも一つの第２副グループの発光セルを前記少なくとも一つの第２副グループに各々対応する第１期間の間、維持放電させる段階、そして
前記各第２サブフィールドにおいて、前記複数の第２副グループのうちの一つの第２副グループの発光セルのうち、非発光セルを選択しながら前記複数の第１副グループのうちの少なくとも一つの第１副グループの発光セルを前記少なくとも一つの第１副グループに各々対応する第２期間の間、維持放電させる段階を含むプラズマ表示装置の駆動方法。
【請求項２４】
前記各第２サブフィールドにおいて、前記複数の第１副グループのうち、他の一つの第１副グループの発光セルのうち、非発光セルを選択しながら前記複数の第２副グループのうちの少なくとも一つの第２副グループの発光セルを前記少なくとも一つの第２副グループに各々対応する第３期間の間、維持放電させる段階、そして
前記各第２サブフィールドにおいて、前記複数の第２副グループのうち、他の一つの第２副グループの発光セルのうち、非発光セルを選択しながら前記複数の第１副グループのうちの少なくとも一つの第１副グループの発光セルを前記少なくとも一つの第１副グループに各々対応する第４期間の間、維持放電させる段階を含むことを特徴とする請求項２３に記載のプラズマ表示装置の駆動方法。
【請求項２５】
前記第１サブフィールドにおいて前記発光セルを選択する前に、前記複数の放電セルを非発光セルに設定する段階をさらに含むことを特徴とする請求項２４に記載のプラズマ表示装置の駆動方法。
【請求項２６】
前記複数の行電極は複数の第１電極及び前記複数の第１電極と共に表示動作を行う複数の第２電極を含み、前記各行電極は前記各第１電極及び前記各第２電極によって定義され、
前記複数の放電セルを非発光セルに設定する段階は、
前記第１電極と前記第２電極の電圧差を漸進的に増加させる段階、そして
前記第１電極と前記第２電極の電圧差を漸進的に減少させる段階を含むことを特徴とする請求項２５に記載のプラズマ表示装置の駆動方法。
【発明の詳細な説明】
【技術分野】
【０００１】
本発明はプラズマ表示装置及びその駆動方法に関する。
【背景技術】
【０００２】
プラズマ表示装置は気体放電によって生成されたプラズマを利用して、文字または映像を表示するプラズマ表示パネルを利用した表示装置である。このようなプラズマ表示パネルには複数の放電セルがマトリックス形態に配列されている。
【０００３】
プラズマ表示装置では一つのフィールド（１ＴＶフィールド）が各々の輝度加重値（以下、“加重値”と略記する。）を有する複数のサブフィールドに分割されて駆動され、複数のサブフィールドのうち、表示動作が実行されるサブフィールドの加重値の組み合わせによって、階調が設定される。各サブフィールドのアドレス期間に、発光すべき放電セルと発光しない放電セルが選別されて、維持期間には、選別された発光すべき放電セルが該当サブフィールドの加重値に対応する期間の間、維持放電して、画像が表示される。
【０００４】
このようなプラズマ表示装置は階調表現のために互いに異なる加重値を有するサブフィールドを使用する。そして複数のサブフィールドで放電セルが発光するサブフィールドの加重値の合計によって、該当放電セルの階調が表現される。例えば、２の累乗形態の加重値を有するサブフィールドを使用する場合、一つの放電セルが連続する二つのフレームで各々１２７階調と１２８階調を表現する場合には偽輪郭（ｄｙｎａｍｉｃ ｆａｌｓｅ ｃｏｎｔｏｕｒ）が発生するようになる。
【０００５】
そしてアドレス期間と維持期間とを時間的に分離する場合、各サブフィールドには維持放電のための維持期間以外にすべての放電セルをアドレシングするためのアドレス期間が別途に形成されるので、一つのサブフィールドの長さが長くなる。その結果、サブフィールドの長さが長くなって、一つのフィールドで使用できるサブフィールドの個数が制限される。
【発明の開示】
【発明が解決しようとする課題】
【０００６】
本発明の目的とする技術的課題は偽輪郭を低減でき、サブフィールドの長さを減らせるプラズマ表示装置及びその駆動方法を提供することにある。
【課題を解決するための手段】
【０００７】
本発明の一つの特徴によれば、複数の行電極と複数の列電極、更に、前記複数の行電極及び前記複数の列電極によって各々定義される複数の放電セル、を含むプラズマ表示装置において、一つのフィールドを複数のサブフィールドに分けて駆動する方法が提供される。この駆動方法は、前記複数の行電極を第１及び第２行グループに分け、前記第１行グループの行電極を複数の第１副グループに分けて前記第２行グループの行電極を複数の第２副グループに分ける段階、前記複数のサブフィールドのうち、第１サブフィールドグループの各第１サブフィールドにおいて、前記複数の第１副グループのうちの一つの第１副グループの発光セルのうち、非発光セルを選択しながら前記複数の第２副グループのうちの少なくとも一つの第２副グループの発光セルを前記少なくとも一つの第２副グループに各々対応する第１期間の間、維持放電させる段階、そして前記各第１サブフィールドにおいて、前記複数の第２副グループのうちの一つの第２副グループの発光セルのうち、非発光セルを選択しながら前記複数の第１副グループのうちの少なくとも一つの第１副グループの発光セルを前記少なくとも一つの第１副グループに各々対応する第２期間の間、維持放電させる段階を含む。
【０００８】
本発明の他の特徴によれば、表示動作を行う複数の行電極及び前記行電極に交差する方向に形成される複数の列電極を含み、前記複数の行電極及び複数の列電極によって複数の放電セルが形成されるプラズマ表示パネル、一つのフィールドを複数のサブフィールドに分けて、前記複数の行電極を第１及び第２行グループに分けて、前記第１行グループの行電極を複数の第１副グループに分けて、前記第２行グループの行電極を複数の第２副グループに分ける制御部、そして前記複数の行電極及び前記複数の列電極を駆動する駆動部を含む。前記駆動部は、前記複数のサブフィールドのうち、連続する複数の第１サブフィールド各々から、前記複数の第１副グループの各第１副グループに対する第１期間の間、前記各第１副グループの発光セルのうち、非発光セルを選択し、前記第１期間のうち、少なくとも一部の第２期間の間、前記複数の第２副グループのうちの少なくとも一つの第２副グループの発光セルを維持放電させて、前記複数の第２副グループの各第２副グループに対する第３期間の間、前記各第２副グループの発光セルのうち、非発光セルを選択し、前記第３期間のうち、少なくとも一部の第４期間の間、前記複数の第１副グループのうちの少なくとも一つの第１副グループの発光セルを維持放電させる。この時、前記第３期間は隣接した前記第１期間の間に位置する。
【０００９】
本発明の他の特徴によれば、複数の行電極と複数の列電極、更に、前記複数の行電極及び前記複数の列電極によって各々定義される複数の放電セル、を含むプラズマ表示装置において、一つのフィールドを複数のサブフィールドに分けて駆動する方法が提供される。この駆動方法は前記複数の行電極を第１及び第２行グループに分けて、前記第１行グループの行電極を複数の第１副グループに分けて前記第２行グループの行電極を複数の第２副グループに分ける段階、前記複数のサブフィールドのうちの少なくとも一つの第１サブフィールドから、前記第１行グループの放電セルから発光セルを選択し、前記第１行グループの発光セルを維持放電させる段階、前記第１サブフィールドから、前記第２行グループの放電セルから発光セルを選択し、前記第２行グループの発光セルを維持放電させる段階、前記複数のサブフィールドのうち、複数の第２サブフィールドの各第２サブフィールドから、前記複数の第１副グループのうちの一つの第１副グループの発光セルのうち、非発光セルを選択しながら前記複数の第２副グループのうちの少なくとも一つの第２副グループの発光セルを前記少なくとも一つの第２副グループに各々対応する第１期間の間、維持放電させる段階、そして前記各第２サブフィールドから、前記複数の第２副グループのうちの一つの第２副グループの発光セルのうち、非発光セルを選択しながら前記複数の第１副グループのうちの少なくとも一つの第１副グループの発光セルを前記少なくとも一つの第１副グループに各々対応する第２期間の間、維持放電させる段階を含む。
【発明の効果】
【００１０】
本発明によれば、複数の行電極を第１及び第２行グループに分類できるプラズマ表示装置において、各行グループの行電極を、再び複数の副グループに分類して配分する。そして一つのフィールド内の各サブフィールド期間に、第１または第２行グループ毎の各副グループ期間に含まれるアドレス期間の動作が実行され、隣接するアドレス期間相互間の隙間が維持期間になって維持動作が実行される。また、第１行グループの各副グループに対する維持期間に、第２行グループの各副グループに対するアドレス期間の動作が実行され、第２行グループの各副グループに対するアドレス期間の間、第１行グループの各副グループに対する維持期間の動作が実行される。このように、各副グループの維持期間の間にアドレス期間が形成されて維持期間で形成されたプライミング粒子をアドレス期間で十分に活用できるので、走査パルスの幅を短くして、高速走査ができて、アドレス期間の間、維持期間を行えるので一つのサブフィールドの長さを減らせる。
【００１１】
そして各サブフィールドのアドレス期間が選択的消去方式からなり、該当サブフィールドで消去放電が起こる前まで連続するサブフィールドによって、階調が表現されるので、偽輪郭が発生しない。また、いかなる階調を表現しても１回の消去放電だけ起こるので消費電力を減らせる。
【００１２】
そして各サブフィールドで時間的に最も先にあるサブフィールドのアドレス期間で選択的記入方式を使用するようになると、十分な壁電荷を形成できて、以後の選択的消去方式を使用するサブフィールドで安定的に消去放電が起きることができる。また選択的記入方式を使用するサブフィールドのリセット期間で漸進的に増加する電圧と漸進的に減少する電圧を利用するのでリセット期間で強い放電が起らず、明暗比を高められる。
【発明を実施するための最良の形態】
【００１３】
以下、添付した図面を参考として、本発明の実施例に対して本発明の属する技術分野における通常の知識を有する者が容易に実施できるように詳しく説明する。しかし、本発明は色々な相異した形態に実現でき、ここで説明する実施例に限られない。そして図面において本発明を明確に説明するために説明上、不必要な部分は省略し、明細書全体にわたって類似した部分については類似の図面符号を付けた。また、ある部分がある構成要素を“含む”とする時、これは特に反対になる記載がない限り他の構成要素を除くことではなく他の構成要素をさらに含め得ることを意味する。
【００１４】
そして本発明においての壁電荷とはセルの壁（例えば、誘電体層）上で各電極に近く形成される電荷を言う。そして壁電荷は実際に電極自体に接触はしないが、ここでは電極に“形成されること”、“蓄積されること”または“積もること”のように説明する。また、壁電圧は壁電荷によりセルの壁に形成される電位差を言う。
【００１５】
本発明の実施例によるプラズマ表示装置に対して図１を参照して、詳しく説明する。
図１は本発明の実施例によるプラズマ表示装置を示す図面である。
図１に示したように、本発明の実施例によるプラズマ表示装置はプラズマ表示パネル１００、制御部２００、アドレス電極駆動部３００、走査電極駆動部４００及び維持電極駆動部５００を含む。
【００１６】
プラズマ表示パネル１００は列方向に伸びている複数のアドレス電極（以下、“Ａ電極”という）Ａ1〜Ａm、そして行方向に伸びながら互いに対をなしている複数の維持電極（以下、“Ｘ電極”という）Ｘ１〜Ｘｎ及び走査電極（以下、“Ｙ電極”という）Ｙ1〜Ｙnを含む。一般にＸ電極Ｘ1〜Ｘnは各Ｙ電極Ｙ1〜Ｙnに対応して形成されており、Ｘ電極とＹ電極が維持期間で画像を表示するための表示動作を行う。Ｙ電極Ｙ１〜ＹｎとＸ電極Ｘ１〜ＸｎはＡ電極Ａ１〜Ａｍと直交するように配置される。この時、Ａ電極Ａ１〜ＡｍとＸ及びＹ電極Ｘ１〜Ｘｎ、Ｙ１〜Ｙｎの交差部にある放電空間がセル１２を形成する。このようなプラズマ表示パネル１００の構造は一例であり、下で説明する駆動波形が適用できる他の構造のパネルも本発明に適用できる。
【００１７】
以下、行方向に伸びながら互いに対をなしているＸ電極及びＹ電極を行電極とし、列方向に伸びているＡ電極を列電極とする。
制御部２００は外部から映像信号を受信してＡ電極駆動制御信号、Ｘ電極駆動制御信号及びＹ電極駆動制御信号を出力する。そして制御部２００は１フレームを複数のサブフィールドに分割して駆動し、複数の行電極を第１及び第２行グループに分けて、第１及び第２行グループの行電極を各々複数の副グループに分けて駆動するように制御する。なお、このような行電極の分類をプラズマ表示装置ごとに固定的な分類構造にしてもよいが、入力信号に応じて適切に調節できる適応形式が便利である。
【００１８】
アドレス電極駆動部３００は制御部２００からＡ電極駆動制御信号を受信して表示しようとする放電セルを選択するための表示データ信号を各Ａ電極に認可する。
走査電極駆動部４００は制御部２００からＹ電極駆動制御信号を受信してＹ電極に駆動電圧を認可する。
維持電極駆動部５００は制御部２００からＸ電極駆動制御信号を受信してＸ電極に駆動電圧を認可する。
【００１９】
次に、図２を参照して本発明の実施例によるプラズマ表示装置の駆動方法に対して詳細に説明する。
図２は本発明の実施例によるプラズマ表示装置の駆動方法に適用される各電極の分類割当て構造を示した図面である。
図２に示したように、一つのフィールド画面を構成するための各画素行に対応して配置される複数の行電極Ｘ１〜Ｘｎ、Ｙ１〜Ｙｎは二つの行グループＧ１、Ｇ２に分けられている。この時、行グループＧ１を画面の上半分、Ｇ２を画面の下半分に対応させるならば、プラズマ表示パネル１００の上部に位置する複数の行電極Ｘ１〜Ｘｎ／２、Ｙ１〜Ｙｎ／２を含む第１行グループＧ１とプラズマ表示パネル１００の下部に位置する複数の行電極Ｘ（ｎ／２）＋１〜Ｘｎ、Ｙ（ｎ／２）＋１〜Ｙｎを含む第２行グループＧ２に分けられるが、行グループＧ１、Ｇ２を電極番号の偶数・奇数に対応させるならば、複数の行電極Ｘ１〜Ｘｎ、Ｙ１〜Ｙｎを偶数番目行電極を含む第１行グループＧ１と奇数番目の行電極を含む第２行グループＧ２とに分類することもできる。そして各行グループを更に小分けするならば、第１及び第２行グループＧ１、Ｇ２各々で、複数のＹ電極がまた複数の副グループＧ１１〜Ｇ１８、Ｇ２１〜Ｇ２８に分けられる。図２では第１及び第２行グループＧ１、Ｇ２各々が８個の副グループＧ１１〜Ｇ１８、Ｇ２１〜Ｇ２８に分けられると仮定した。
【００２０】
つまり、第１行グループＧ１で１番目からｊ番目Ｙ電極Ｙ１〜Ｙｊが第１副グループＧ１１として設定されて、（ｊ+１）番目から２ｊ番目Ｙ電極Ｙｊ＋１〜Ｙ２ｊが第２副グループＧ１２として設定される。このようにして、（７ｊ+１）番目から（ｎ/２）番目Ｙ電極Ｙ７ｊ＋１〜Ｙｎ／２が第８副グループＧ８として設定される（ここで、ｊは１とｎ/１６の間の整数）。同様に第２行グループＧ２から（８ｊ+１）番目から９ｊ番目Ｙ電極Ｙ８ｊ＋１〜Ｙ９ｊが第１副グループＧ２１として設定されて、（９ｊ+１）番目から１０ｊ番目Ｙ電極Ｙ９ｊ＋１〜Ｙ１０ｊが第２副グループＧ２２として設定される。このようにして（１５ｊ+１）番目からｎ番目Ｙ電極Ｙ１５ｊ＋１〜Ｙｎが第８副グループＧ２８として設定される。一方、これとは異なって第１及び第２行グループＧ１、Ｇ２内で各々一定の間隔で離れているＹ電極を一つの副グループに設定することもでき、必要に応じて不規則な方式でＹ電極をグループ化することもできる。
【００２１】
図３は本発明の第１実施例によるプラズマ表示装置の駆動信号印加を示したタイミング図面である。本発明の第１実施例ではアドレス期間と維持期間との長さが同一であり、維持期間もまた、すべてのサブフィールドにおいて同一の長さを有することにする。
【００２２】
図３を見ると、一つのフィールドは複数のサブフィールドＳＦ１〜ＳＦＬからなる。この時、第１乃至第ＬサブフィールドＳＦ１〜ＳＦＬは、第１行グループと第２行グループに対応して、各々アドレス期間ＥＡ１１１〜ＥＡＬ１８、ＥＡ１２１〜ＥＡＬ２８及び維持期間Ｓ１１１〜ＳＬ１８、Ｓ１２１〜ＳＬ２８からなり、第１乃至第ＬサブフィールドＳＦ１〜ＳＦＬのアドレス期間ＥＡ１１１〜ＥＡＬ１８、ＥＡ１２１〜ＥＡＬ２８の動作は選択的消去方式（ｓｅｌｅｃｔｉｖｅ Ｅｒａｓｅ Ａｄｄｒｅｓｓ）で実行される。そして図２で説明した通り、複数の行電極Ｘ１〜Ｘｎ、Ｙ１〜Ｙｎは二つの第１及び第２行グループＧ１、Ｇ２に分けられて、第１及び第２行グループＧ１、Ｇ２が各々複数の副グループＧ１１〜Ｇ１８、Ｇ２１〜Ｇ２８に分けられる。
【００２３】
複数の放電セルのうち、発光すべき放電セル（以下、“発光セル”という）と発光しない放電セル（以下、“非発光セル”という）を選択するための方式として選択的記入方式と選択的消去方式がある。選択的記入方式は発光セルを選択して、一定の壁電圧を形成する方式であり、選択的消去方式は非発光セルを選択して、すでに形成されている壁電圧を消去する方式である。つまり、選択的記入方式は非発光セル状態のセルをアドレス放電させて、壁電荷を形成して、発光セル状態に設定する方式であり、選択的記入方式は発光セル状態のセルをアドレス放電させて、すでに形成されている壁電荷を消去させて、非発光セル状態に設定する方式である。以下、選択的記入方式において壁電荷を形成するためのアドレス放電を“記入放電”とし、選択的消去方式において壁電荷を消去するためのアドレス放電を“消去放電”という。
【００２４】
また、図３を見ると、選択的消去方式のアドレス期間ＥＡ１１１〜ＥＡＬ１８、ＥＡ１２１〜ＥＡＬ２８を有する第１乃至第ＬサブフィールドＳＦ１〜ＳＦＬのうち、時間的に最も先にある、つまり、最先に動作する第１サブフィールドＳＦ１のアドレス期間ＥＡ１１１の直前にはすべての放電セルを初期化して、発光セル状態に設定するリセット期間Ｒを有する。このリセット期間Ｒでは、先ず、すべての放電セルを初期化して、発光セル状態に設定してアドレス期間ＥＡｌで消去放電が可能な状態に設定する。
【００２５】
以上の説明を補足すると、１フィールド内に複数のサブフィールド（ＳＦ１〜ＳＦＬ）が存在し、複数のサブフィールド（ＳＦ１〜ＳＦＬ）のうちの少なくとも一つの第１サブフィールド（ＳＦ１）は選択的記入方式のアドレシングを行い、残りサブフィールド（ＳＦ２〜ＳＦＬ）は選択的消去方式のアドレシングを行う。これを区分するために、請求項２３（解決手段の最後の段落に対応)で少なくともひとつの第１サブフィールドはＳＦ１を意味して、複数の第２サブフィールドはＳＦ２〜ＳＦＬを意味します。つまり、ＳＦ２〜ＳＦＬが複数個であり、全て選択的消去方式のアドレシングを行うので、複数の第２サブフィールドと表現している。
【００２６】
次に、第１サブフィールドＳＦ１で第１及び第２行グループＧ１、Ｇ２各々の第１乃至第８副グループＧ１１〜Ｇ１８、Ｇ２１〜Ｇ２８のアドレス期間ＥＡ１１１〜ＥＡＬ１８、ＥＡ１２１〜ＥＡＬ２８及び維持期間Ｓ１１１〜ＳＬ１８、Ｓ１２１〜ＳＬ２８の動作が、第１行グループＧ１ではＥＡ１１１、Ｓ１１１〜ＥＡ１１８、Ｓ１１８、第２行グループＧ２ではＥＡ１２８、Ｓ１２８〜ＥＡ１２１、Ｓ１２１のように機能交代しつつ、かつ、図３上で左から右へ順次に、また両行グループＧ１、Ｇ２が前後しながら並んで走るように実行される。この時、各サブフィールドＳＦ１〜ＳＦＬの、第１行グループＧ１では第１副グループＧ１１から第８副グループＧ１８の順で順次にアドレス期間ＥＡ１１１〜ＥＡＬ１８及び維持期間Ｓ１１１〜ＳＬ１８の動作が実行され、各サブフィールドＳＦ１〜ＳＦＬの第２行グループＧ２では第８副グループＧ２８から第１副グループＧ２１順で順次にアドレス期間ＥＡ１２８〜ＥＡＬ２１及び維持期間Ｓ１２８〜ＳＬ２１の動作が実行される。つまり、第ｋサブフィールドＳＦｋの第１行グループＧ１では第ｉ副グループＧ１ｉのアドレス期間ＥＡｋ1iの動作が実行された後、第ｉ副グループＧ１ｉの維持期間Ｓｋ1ｉの動作が実行される（ここで、ｋは１とＬの間の整数であり、ｉは１と８の間の整数である）。次に、第（ｉ+１）副グループＧ１（ｉ＋１）のアドレス期間ＥＡｋ１（ｉ＋１）と維持期間Ｓｋ１（ｉ＋１）の動作が実行される。第２行グループＧ２の第ｋサブフィールドＳＦｋでは第（ｉ+１）副グループＧ２（ｉ＋１）のアドレス期間ＥＡｋ２（ｉ＋１）の動作が実行された後、第（ｉ+１）副グループＧ２（ｉ＋１）の維持期間Ｓｋ２（ｉ＋１）の動作が実行される。次に、第ｉ副グループＧ２ｉのアドレス期間ＥＡｋ２ｉと維持期間Ｓｋ２ｉの動作が実行される。そして第ｋサブフィールドＳＦｋで第１行グループＧ１の第ｉ副グループＧ１ｉの維持期間Ｓｋ１ｉの動作が実行される間、第２行グループＧ２の第（８−（ｉ−１））副グループＧ２（８−（ｉ−１））のアドレス期間ＥＡｋ２（８−（ｉ−１））の動作が実行される。第ｋサブフィールドＳＦｋで第２行グループＧ２の第（８−（ｉ−１））副グループＧ２（８−（ｉ−１））の維持期間Ｓｋ２（８−（ｉ−１））の動作が実行される間、第１行グループＧ１では第（ｉ+１）副グループＧ１（ｉ＋１）のアドレス期間ＥＡｋ１（ｉ＋１）の動作が実行される。
【００２７】
但し、図３に示した通り第ｋサブフィールドＳＦｋで第２行グループＧ２の第１副グループＧ２１に対する維持期間Ｓｋ２１が遂行される間、第１行グループＧ１では第１副グループＧ１１の第（ｋ+１）サブフィールドＳＦ（ｋ+１）のアドレス期間ＥＡ（ｋ+１）１１の動作が実行される。
【００２８】
図３では第２行グループＧ２においては第８副グループＧ２８から第１副グループＧ２１の順で順次にアドレス期間ＥＡｋ２８〜ＥＡｋ２１及び維持期間Ｓｋ２８〜Ｓｋ２１の動作が実行されることとして示したが、図３とは異なって、第２行グループＧ２においても第１行グループＧ１と同一に第１副グループＧ２１から第８副グループＧ２８の順でアドレス期間ＥＡｋ２１〜ＥＡｋ２８及び維持期間Ｓｋ２１〜Ｓｋ２８の動作が実行される。また、第１及び第２行グループＧ１、Ｇ２から図３とは異なる順序にアドレス期間及び維持期間の動作が実行されることもできる。
【００２９】
次に、第１行グループＧ１の各サブフィールドＳＦ１〜ＳＦＬに対して具体的に説明する。各サブフィールドＳＦ１〜ＳＦＬにおけるアドレス期間と維持期間の動作が実質的に同一であるので、以下、第ｋサブフィールドＳＦｋでの動作についてだけ説明する（ここで、ｋは１とＬの間の整数）。
【００３０】
第１行グループＧ１の第ｋサブフィールドＳＦｋのうち、第１副グループＧ１１のアドレス期間ＥＡｋ１１では第１副グループＧ１１の発光セルのうち、非発光で設定する放電セルを消去放電させて、壁電荷を消去し、維持期間Ｓｋ１１で第１副グループＧ１１の残り発光セルを維持放電させる。次に、第２副グループＧ２１のアドレス期間ＥＡｋ１２で第２副グループＧ１２の発光セルのうち、非発光として設定する放電セルを消去放電させて、壁電荷を消去し、維持期間Ｓｋ１２で第２副グループＧ１２の残り発光セルを維持放電させる。この時、第１副グループＧ１１の発光セルでも維持放電が起こる。
【００３１】
同様に、残り副グループＧ１３〜Ｇ１８に対してもアドレス期間ＥＡｋ１３〜ＥＡｋ１８及び維持期間Ｓｋ１３〜Ｓｋ１８の動作が実行される。この時、第ｉ副グループＧ１ｉの維持期間Ｓｋ１ｉでは第ｉ副グループＧ１ｉの発光セル及び第１乃至第（ｉ−１）副グループＧ１１〜Ｇ１（ｉ−１）及び第（ｉ+１）乃至第８副グループＧ１（ｉ＋１）〜Ｇ１８の発光セルでも維持放電が起こる。この時、第１乃至第（ｉ−１）副グループＧ１１〜Ｇ１(ｉ−１)の発光セルは第ｋサブフィールドＳＦｋの各アドレス期間ＥＡｋ１１〜ＥＡｋ１(ｉ−１)で消去放電が起こらない発光セルであり、第（ｉ＋１）乃至第８副グループＧ１(ｉ＋１)〜Ｇ１８の発光セルは第（ｋ−１）サブフィールドＳＦ(ｋ−１)の各アドレス期間ＥＡ(ｋ−１)１(ｉ＋１)〜ＥＡ(ｋ−１)１８で消去放電が起こらない発光セルである。そして第ｉ副グループＧ１ｉの発光セルは第（ｋ+１）サブフィールドＳＦ(ｋ+１)の第ｉ副グループＧ１ｉのアドレス期間ＥＡ(ｋ+１)１ｉ直前の維持期間ＳＫ１(ｉ−１)まで維持放電される。つまり、第ｉ副グループＧ１ｉの発光セルでは総８回の維持期間の間、維持放電が起こる。
【００３２】
このように、すべてのサブフィールドＳＦ１〜ＳＦＬで各副グループＧ１１〜Ｇ１８に対してアドレス期間ＥＡ２１１〜ＥＡ２１８、…、ＥＡＬ１１〜ＥＡＬ１８及び維持期間Ｓ２１１〜Ｓ２１８、…、ＳＬ１１〜ＳＬ１８の動作が実行される。このようにすると、リセット期間Ｒから発光セルに設定された放電セルは各サブフィールドＳＦ１〜ＳＦＬから消去放電で非発光セルに設定される前まで継続して維持放電を行い、消去放電で非発光セルになると該当サブフィールドから維持放電されない。この時、各サブフィールドＳＦ１〜ＳＦＬの加重値は各サブフィールドＳＦ１〜ＳＦＬで８個の維持期間の長さの合計に対応する。
【００３３】
そして第１行グループ（Ｇ１）の最後のサブフィールド（ＳＦＬ）で維持期間（ＳＬ１８）が行われると、第１副グループ（Ｇ１１）は総８回の維持放電が起こって、第２副グループ（Ｇ１２）は総７回の維持放電が起こり、第３副グループ（Ｇ１３）は総６回の維持放電が行われる。そして第４副グループ（Ｇ１４）は総５回の維持放電が起こって、第５副グループ（Ｇ１５）は総４回の維持放電が起こって、第６副グループ（Ｇ１６)は総３回の維持放電が起こる。また第７副グループ（Ｇ１７）は総２回の維持放電が起こって、第８副グループ（Ｇ１８）は総１回の維持放電が起こる。したがって、第１乃至第８副グループ（Ｇ１１〜Ｇ１８）の維持放電回数が同一になるように第１行グループ（Ｇ１）の最後のサブフィールド（ＳＦＬ）は消去期間（ＥＲ１１〜ＥＲ１７）及び追加維持期間（ＳＡ１２〜ＳＡ１８）を有することができる。
【００３４】
具体的に、消去期間（ＥＲ１１）直前総８回の維持放電が起こった第１副グループ（Ｇ１１）は追加維持放電が必要でない。したがって、消去期間（ＥＲ１１）で第１副グループ（Ｇ１１）の発光セルに形成された壁電荷を消去させる。その後、追加維持期間（ＳＡ１２）で第１乃至第８副グループ（Ｇ１１〜Ｇ１８）の発光セルを発光させる。この時、消去期間（ＥＲ１１）で第１副グループ（Ｇ１１）の発光セルに形成された壁電荷が消去されたので、追加維持期間（ＳＡ１２）では第２乃至第８副グループ（Ｇ１２〜Ｇ１８）の発光セルで各々１回の追加維持放電が起こる。
【００３５】
そして追加維持期間（ＳＡ１２）によって総８回の維持放電が全て起こった第２副グループ（Ｇ１２）も追加維持放電が必要でないので、消去期間（ＥＲ１２）で第２副グループ（Ｇ１２）の発光セルに形成された壁電荷を消去させる。そして追加維持期間（ＳＡ１３）で第１乃至第８副グループ（Ｇ１１〜Ｇ１８）の発光セルを発光させる。この時、第１及び第２副グループ（Ｇ１１、Ｇ１２）の発光セルに形成された壁電荷は各々消去期間（ＥＲ１１、ＥＲ１２）で消去されたので、追加維持期間（ＳＡ１３）では第３乃至第８副グループ（Ｇ１３〜Ｇ１８）の発光セルで各々１回の追加維持放電が起こる。
【００３６】
次に、追加維持期間（ＳＡ１３）によって総８回の維持放電が全て起こった第３副グループ（Ｇ１３）もまた、追加維持放電が必要でないので、消去期間（ＥＲ１３）で第３副グループ（Ｇ１３）の発光セルに形成された壁電荷を消去させる。そして追加維持期間（ＳＡ１４）で第１乃至第８副グループ（Ｇ１１〜Ｇ１８）の発光セルを発光させる。
【００３７】
この時、第１乃至第２副グループ（Ｇ１１〜Ｇ１３）の発光セルに形成された壁電荷は各々消去期間（ＥＲ１１〜ＥＲ１３）で消去されたので、追加維持期間（ＳＡ１４）では第４乃至第８副グループ（Ｇ１４〜Ｇ１８）の発光セルで各々１回の追加維持放電が起こる。
【００３８】
このような方式で、消去期間（ＥＲ１４〜ＥＲ１７）及び追加維持期間（ＳＡ１５〜ＳＡ１８）を行えば、第１乃至第８副グループ（Ｇ１１〜Ｇ１８）の維持放電回数は同一になることができる。
【００３９】
一方、第８副グループ（Ｇ１８）の追加維持期間（ＳＡ１８）以後にも第８副グループ（Ｇ１８）の壁電荷を消去するための消去期間（ＥＲ１８）が形成されることもある。また連結されるフィールドの第１サブフィールド（ＳＦ１）でリセット期間（Ｒ）が行われるので、第８副グループ（Ｇ１８）の消去期間（ＥＲ１８）は形成されないこともある。
そしてこのような消去期間（ＥＲ１１〜ＥＲ１８）での消去動作はアドレス期間のように各副グループの各行電極に対して順次に行われることもでき、各行グループの全ての行電極に対して同時に行われることもできる。
【００４０】
次に、第２行グループＧ２の各サブフィールドＳＦ１〜ＳＦＬについて説明すると、第２行グループＧ２の各サブフィールドＳＦ１〜ＳＦＬの構造は第１行グループＧ１の各サブフィールドＳＦ１〜ＳＦＬと実質的に同一である。但し、前述したように、第２行グループＧ２の各サブフィールドＳＦ１〜ＳＦＬでは第８副グループＧ２８から第１副グループＧ２１順でアドレス期間ＥＡ１２８〜ＥＡ１２１、…、ＥＡＬ２８〜ＥＡＬ２１の動作が実行され、第２行グループＧ２の最後のサブフィールドＳＦＬでの消去期間ＥＲ２１〜ＥＲ２８もまた、第８副グループＧ２８から第１副グループＧ２１順で行われる。
【００４１】
このようなプラズマ表示装置の駆動方法をサブフィールドだけで表現すると、図４のように現わせる。図４では一つのフィールドが１９個のサブフィールドＳＦ１〜ＳＦ１９からなるものとして示した。図４を見ると、各副グループＧ１１〜Ｇ１８、Ｇ２８〜Ｇ２１で一つのフィールドを形成する複数のサブフィールドＳＦ１〜ＳＦ１９が所定の間隔ぐらいシフトされるように現れる。この時、所定の間隔は一つの副グループＧ１ｉまたはＧ２ｉに対するアドレス期間ＥＡｋ１ｉまたはＥＡｋ２ｉと一つの副グループＧ１ｉまたはＧ２ｉの１個の維持期間Ｓｋ１ｉまたはＳｋ２ｉの長さに相当する。そして一つの副グループＧ１ｉまたはＧ２ｉに対するアドレス期間ＥＡｋ１ｉまたはＥＡｋ２ｉと一つの副グループＧ１ｉまたはＧ２ｉに対する一つの維持期間Ｓｋ１ｉまたはＳｋ２ｉの長さが同一であると仮定する時、第２行グループの各サブフィールドＳＦ１〜ＳＦ１９の開始時点は第１行グループＧ１の各サブフィールドＳＦ１〜ＳＦ１９の開始時点からアドレス期間ＥＡｋ１ｉまたはＥＡｋ２ｉの長さぐらいシフトされたように現れる。
【００４２】
このようにすると、第１行グループＧ１の行電極のアドレス期間の間、第２行グループＧ２の行電極に対して維持期間を遂行できて、第２行グループＧ２の行電極のアドレス期間の間、第１行グループＧ１の行電極に対して維持期間を行える。つまり、アドレス期間と維持期間が分離せず、アドレス期間の間、維持期間を行えるので、一つのサブフィールドの長さを減らせる。また各副グループの維持期間の間にアドレス期間が形成されて維持期間で形成されたプライミング粒子をアドレス期間で十分に活用することができるので、走査パルスの幅を短くして、高速走査ができる。
【００４３】
次に、本発明の第１実施例によるプラズマ表示装置の駆動方法に使用される駆動波形に対して図５を参考として詳細に説明する。
図５は図３に示された駆動方法に対する具体的なプラズマ表示装置の駆動波形を示した図面である。図５では説明の便宜上、一つのサブフィールドＳＦｋで第１行グループＧ１の第１及び第２副グループＧ１１、Ｇ１２と第２行グループＧ２の第７及び第８副グループＧ２７、Ｇ２８だけを示したし、Ａ電極に認可される駆動波形及びそれに対する説明も省略した。
【００４４】
図５に示したように、第１行グループＧ１の第ｋサブフィールドＳＦｋのうち、第１副グループＧ１１のアドレス期間ＥＡｋ１１では第１行グループＧ１のＸ電極に基準電圧（図５では０Ｖ電圧）を印加した状態で第１副グループＧ１１の複数のＹ電極に順次にＶｓｃＬ電圧の走査パルスを認可する。この時、走査パルスが認可されたＹ電極によって形成された発光セルから非発光セルとして選択するセルのＡ電極に正の電圧を有するアドレスパルス（図示せず）を認可する。そして走査パルスが印加されないＹ電極にはＶｓｃＬ電圧より高いＶｓｃＨ電圧が印加されてアドレスパルスが印加されないＡ電極には基準電圧が認可される。そうすると、走査パルスのＶｓｃＬ電圧とアドレスパルスの正の電圧が認可された発光セルで消去放電が起こって、Ｘ電極とＹ電極に形成された壁電荷が消去されて、非発光セルとして設定される。
【００４５】
維持期間Ｓｋ１１では第１行グループＧ１の複数のＸ電極と第１乃至第８副グループＧ１１〜Ｇ１８のＹ電極にハイレベル電圧（図５ではＶｓ電圧）とローレベル電圧（図５では０Ｖ電圧）を有する維持放電パルスを反対位相で印加して、第１副グループＧ１1の発光セルを維持放電させる。つまり、Ｘ電極にＶｓ電圧が印加される時、Ｘ電極には０Ｖ電圧が印加され、Ｙ電極にＶｓ電圧が印加される時、Ｘ電極には０Ｖ電圧が認可される。この時、直前サブフィールドＳＦ(ｋ−１)で発光セル状態であったセルのうち、アドレス期間ＥＡｋ１１で消去放電が起こらないセルが発光セル状態であり、このような発光セル状態のセルで維持放電が起こる。
【００４６】
次に、第２副グループＧ１２のアドレス期間ＥＡｋ１２では第１行グループＧ１のＸ電極に基準電圧を印加した状態で第２副グループＧ１２の複数のＹ電極に順次にＶｓｃＬ電圧の走査パルスを印加し、走査パルスが認可されたＹ電極によって形成された発光セルのうち、非発光セルとして選択するセルのＡ電極に正の電圧を有するアドレスパルス（図示せず）を認可する。
【００４７】
そして維持期間Ｓｋ１２では第１行グループＧ１の複数のＸ電極と第１乃至第８副グループＧ１１〜Ｇ１８のＹ電極に維持放電パルスが反対位相で印加されて、発光セルで維持放電が起こる。このような方式で残り副グループＧ１３〜Ｇ１４に対してアドレス期間ＥＡｋ１３〜ＥＡｋ１８と維持期間Ｓｋ１３〜Ｓｋ１８の動作が実行される。
【００４８】
次に、第１行グループＧ１の第ｋサブフィールドＳＦｋで第１副グループＧ１１の維持期間Ｓｋ１１の動作が実行される間、第２行グループＧ２では第８副グループＧ２８のアドレス期間ＥＡｋ２８の動作が実行される。第２行グループＧ２の第ｋサブフィールドＳＦｋで第８副グループＧ２８のアドレス期間ＥＡｋ２８では第２行グループＧ２のＸ電極に基準電圧を印加した状態で第８副グループＧ２８の複数のＹ電極に順次にＶｓｃＬ電圧の走査パルスを印加し、走査パルスが認可されたＹ電極によって形成された発光セルのうち、非発光セルとして選択するセルのＡ電極に正の電圧を有するアドレスパルス（図示せず）を認可する。
【００４９】
そして維持期間Ｓｋ２８では第２行グループＧ２の複数のＸ電極と第２行グループＧ２の第１乃至第８副グループＧ２１〜Ｇ２８のＹ電極に維持放電パルスが反対位相で印加されて、発光セルから維持放電が起こる。この時、第２行グループＧ２の第ｋサブフィールドＳＦｋで維持期間Ｓ２８の動作が実行される間、第１行グループＧ１では第２副グループＧ１２のアドレス期間Ｅｋｉ１２の動作が実行される。こういう方式で、残り副グループＧ２７〜Ｇ２１に対してアドレス期間ＥＡｋ２７〜ＥＡｋ２１と維持期間Ｓｋ２７〜Ｓｋ２１の動作が実行される。
【００５０】
図６は図３の駆動方法を用いた第１実施例による階調表現方法を示した図面である。図６では一つのフィールドが総１９個のサブフィールドからなり、各サブフィールドの加重値を３２に示した。そして図６で“ＳＥ”は該当サブフィールドで消去放電が起こって、発光セルが非発光セルに設定されたことを示し、“ｏ”は発光セル状態のサブフィールドを示す。
【００５１】
図６に示したように、第１サブフィールドＳＦ１のアドレス期間で消去放電が起きて非発光セルになると、維持期間で維持放電が起こらず、次のサブフィールドＳＦ２〜ＳＦ１９でも維持放電が起こらないので０階調が表現される。次に、第２サブフィールドＳＦ２のアドレス期間で消去放電が起こって、非発光セルになると、第２サブフィールドＳＦ２〜ＳＦ１９から維持放電が起こらないので３２階調が表現される。発光セルが第２サブフィールドＳＦ２のアドレス期間で消去放電が起こらず、第３サブフィールドＳＦ３のアドレス期間で消去放電が起こって、非発光セルになると、６４階調を表現することができる。つまり、発光セルが第Ｋサブフィールドで消去放電が起こって、非発光セルになると、発光セル状態の放電セルは第１乃至第（Ｋ−１）サブフィールドで維持放電が継続して起こるので、最終的に３２×（Ｋ−１）階調を表現することができる。つまり、０階調から６２８（＝３２×１９）階調のうち、３２の倍数に相当する階調を表現することができる。この時、３２の定数倍でない階調はディザーリングを使って、表現することができる。このようなディザーリングは特定の階調を組み合わせて、一定の領域内で表現しようとする階調と平均的に近接して表現する技術である。従って、一定の画素領域で０階調と３２階調を使って、０階調と３２階調の間の階調を表現することができる。
【００５２】
この時、第１サブフィールドＳＦ１では各副グループＧ１１〜Ｇ１８、Ｇ２１〜Ｇ２８の放電セルは相当する副グループのアドレス期間の動作が実行される前まで全て発光セル状態である。そうすると、第１行グループＧ１の第ｉ副グループＧ１ｉの放電セルの場合、アドレス期間ＥＡ１ｉの動作が実行される前まで総（ｉ−１）回の維持期間Ｓ１１１〜Ｓ１１(ｉ−１)の間、不必要な維持放電が起こる（ここで、ｉは２と８の間の整数）。従って、本発明の第１実施例では第１行グループＧ１の第ｉ副グループＧ１ｉを第１サブフィールドＳＦ１で第１副グループから第（ｉ−１）副グループＧ１１〜Ｇ１(ｉ−１)の維持期間Ｓ１１１〜Ｓ１１(ｉ−１)の間、維持放電が起こらない状態で設定することができる。同様に、第２行グループＧ２の第（８−(ｉ−１)）副グループＧ２(８−(ｉ−１)の放電セルを第８副グループから第（８−(ｉ−２)）副グループＧ２８〜Ｇ２(８−(ｉ−２))の 間、維持放電が起こらない状態で設定することができる。
【００５３】
このように、本発明の第１実施例では複数のサブフィールドＳＦ１〜ＳＦ１９のうち、該当サブフィールドで消去放電が起こって発光セル状態の放電セルが非発光セルになる前まで連続するサブフィールドによって、階調が表現されるので偽輪郭が発生しない。そしてリセット期間Ｒで発光セル状態になった放電セルは各サブフィールドＳＦ１〜ＳＦ１９で消去放電で非発光セルに設定される前まで継続して維持放電を行うので、どんな階調を表わしても最大１回の放電だけが起こる。従って、消去放電に応じた消費電力が減る。しかし、低階調をサブフィールドの組み合わせで表現せず、ディザーリングを使って表現する場合には低階調の表現力が低下できる。つまり、人の目は高諧調での階調差より低階調での階調差をよく認識するため、低階調をサブフィールドの組み合わせで表現せず、ディザーリングを使って表現する場合には低階調の表現力が低下できる。以下、低階調の表現力を高めることができる方法に対して図７を参照して説明する。
【００５４】
図７は図３の駆動方法を用いた第２実施例による階調表現方法を示した図面である。
図７に示したように、各フィールドのサブフィールドを第１及び第２サブフィールドグループに分け、例えば、各フィールドの先頭から数個のサブフィールドを第１サブフィールドグループ、後続のサブフィールドを第２サブフィールドグループとする。そして低階調表現力を向上させるために第１サブフィールドグループのサブフィールドＳＦ１、ＳＦ２、ＳＦ３、ＳＦ４、ＳＦ５、ＳＦ６の加重値を各々１、２、４、８、１６及び２４に設定する。このようにすると、図６でディザーリングで表現される低階調のうち、第１サブフィールドグループのサブフィールドＳＦ１〜ＳＦ６の組み合わせで１、３、７、１５、３１、５５階調を正確に表現できる。また、これらの階調にディザーリングを適用すると、１階調と５５階調の間の階調に対する表現力を第１実施例に比べて高めることができる。
【００５５】
次に、第１サブフィールドグループのサブフィールドＳＦ１〜ＳＦ６の加重値を実現する方法に対して図８Ａ及び図８Ｂを参照して説明する。
図８Ａ及び図８Ｂは各々第１サブフィールドグループのサブフィールドＳＦ１〜ＳＦ６の加重値を実現するための方法を示した図面である。図８Ａ及び図８Ｂでは説明の便宜上、第１行グループＧ１の第１及び第２副グループＧ１１、Ｇ１２だけを示した。
【００５６】
前述したように、第１及び第２行グループＧ１、Ｇ２が８個の副グループＧ１１〜Ｇ１８、Ｇ２１〜Ｇ２８）に分けられる場合、各サブフィールドＳＦ１〜ＳＦＬの加重値は各サブフィールドＳＦ１〜ＳＦＬで８個の維持期間の長さの合計に対応する。例えば、図５に示されたサブフィールドＳＦｋの加重値が３２と仮定すれば、サブフィールドＳＦｋで各維持期間Ｓｋ１１〜Ｓｋ１８、Ｓｋ２１〜Ｓｋ２８の長さは加重値４に相当する。そして各維持期間Ｓｋ１１〜Ｓｋ１８、Ｓｋ２１〜Ｓｋ２８ではＸ電極とＹ電極に各々４個の維持放電パルスが印加されることで仮定する。
【００５７】
従って、加重値１は何れか一つの行グループ（Ｇ１またはＧ２）の各副グループＧ１１〜Ｇ１８またはＧ２１〜Ｇ２８の維持期間のうち、いずれか一つの維持期間Ｓｋ１ｊの長さの１／４に相当する（ここで、ｊは１と８の間の整数である）。従って、図８Ａに示したように、第１行グループＧ１の第ｋサブフィールドＳＦｋで、第１副グループＧ１１の維持期間Ｓｋ１１では第１副グループＧ１１のＹ電極に１個の維持放電パルスを印加した後、Ｘ電極に維持放電パルスのＶｓ電圧が印加される時、Ｙ電極に維持放電パルスのローレベル電圧でＶｓｃＨ電圧とＶｓｃＬ電圧の差に相当する電圧ＶｓｃＨ−ＶｓｃＬを認可する。そして第１副グループＧ１１の残り維持期間Ｓｋ１２〜Ｓｋ１８でもＸ電極に維持放電パルスのＶｓ電圧が印加される時、第１副グループＧ１１のＹ電極に維持放電パルスのローレベル電圧でＶｓｃＨ−ＶｓｃＬ電圧を認可する。そして第２副グループＧ１２の維持期間Ｓｋ１２で第２副グループＧ１２のＹ電極に１個の維持放電パルスを印加した後、Ｘ電極に維持放電パルスのＶｓ電圧が印加される時、第２副グループＧ１２のＹ電極に維持放電パルスのローレベル電圧でＶｓｃＨ−ＶｓｃＬ電圧を認可する。そして第２副グループＧ１１の残り維持期間Ｓｋ１３〜Ｓｋ１８及び第（ｋ＋１）サブフィールドＳＦ(ｋ＋１)の第１副グループＧ１１に対する維持期間Ｓ(Ｋ＋１)１１でも第２副グループＧ１２のＹ電極に維持放電パルスのローレベル電圧でＶｓｃＨ−ＶｓｃＬ電圧を認可する。
【００５８】
この時、第２実施例の場合、加重値１のサブフィールドＳＦ１はリセット期間Ｒに連続して位置するので、前述したように、各副グループＧ１ｉまたはＧ２(８−(ｉ−１))は相当するアドレス期間ＥＡ１ｉまたはＥＡ２(８−(ｉ−１))以前の維持期間Ｓ１１〜Ｓ１(ｉ−１)またはＧ２８〜Ｇ２(８−(ｉ−２))の間、維持放電が起こらない状態で設定する。従って相当するアドレス期間ＥＡ１ｉまたはＥＡ２(８−(ｉ−１))以前の維持期間Ｓ１１〜Ｓ１(ｉ−１)またはＧ２８〜Ｇ２(８−(ｉ−２)の)間、各副グループＧ１ｉまたはＧ２(８−(ｉ−１))のＹ電極には維持放電パルスのローレベル電圧でＶｓｃＨ−ＶｓｃＬ電圧が印加されることができる。つまり、図８Ａに図示したように、第２副グループＧ１２のアドレス期間ＥＡ１２以前の維持期間Ｓ１１で第２副グループＧ１２のＹ電極に維持放電パルスのローレベル電圧でＶｓｃＨ−ＶｓｃＬ電圧が印加できる。
【００５９】
この時、Ｖｓ電圧とＶｓｃＨ−ＶｓｃＬ電圧の差Ｖｓ−ＶｓｃＨ＋ＶｓｃＬはＸ電極とＹ電極の間で維持放電が起こらないほどの電圧である。そうすると、Ｙ電極に維持放電パルスのローレベル電圧でＶｓｃＨ−ＶｓｃＬ電圧が印加される時、Ｘ電極とＹ電極の間で維持放電が起こらない。Ｘ電極にＶｓ電圧が印加される時、Ｘ電極とＹ電極の間で維持放電が起こらなければ、Ｘ電極の壁電位がＹ電極の壁電位より高い状態を維持するので、続いて、Ｙ電極にＶｓ電圧が印加されてＸ電極に０Ｖ電圧が印加されても再び維持放電が起こらない。このようにして、加重値１を有するサブフィールドを実現することができる。
【００６０】
そして第２行グループＧ２でも第１行グループＧ１と実質的に同一である。但し、第２行グループＧ２の維持期間Ｓｋ２８では第８副グループＧ２８のＹ電極に１個の維持放電パルスを印加した後、Ｘ電極に維持放電パルスのＶｓ電圧が印加される時、Ｙ電極に維持放電パルスのローレベル電圧でＶｓｃＨ−ＶｓｃＬ電圧を認可する。そして第２行グループＧ２の残り維持期間Ｓｋ２７〜Ｓｋ２１のＹ電極にもＸ電極に維持放電パルスが印加される時、Ｙ電極に維持放電パルスのローレベル電圧でＶｓｃＬ−ＶｓｃＨ電圧を認可する。このような方式で残り第７副グループＧ２７から第１副グループＧ２１の発光セルの維持放電を制御することができる。以下、加重値を説明する時、第１行グループＧ１の第１副グループＧ１１についてだけ説明する。
【００６１】
加重値２は、何れか一つの行グループ（Ｇ１またはＧ２）の各副グループＧ１１〜Ｇ１８またはＧ２１〜Ｇ２８の維持期間のうち、いずれか一つの維持期間Ｓｋ１ｊの長さの１／２に相当するので、図８Ｂでのように、第１行グループＧ１の第ｋサブフィールドＳＦｋで、第１副グループＧ１１の維持期間Ｓｋ１１では第１副グループＧ１１のＹ電極に２個の維持放電パルスを印加した後、Ｘ電極に維持放電パルスのＶｓ電圧が印加される時、Ｙ電極に維持放電パルスのローレベル電圧でＶｓｃＨ−ＶｓｃＬ電圧を認可する。そして第１副グループＧ１１の残り維持期間Ｓｋ１２〜Ｓｋ１８でもＸ電極に維持放電パルスのＶｓ電圧が印加される時、Ｙ電極に維持放電パルスのローレベル電圧でＶｓｃＨ−ＶｓｃＬ電圧を認可する。そして第２副グループＧ１２の維持期間Ｓｋ１２で第２副グループＧ１２のＹ電極に２個の維持放電パルスを印加した後、Ｘ電極に維持放電パルスのＶｓ電圧が印加される時、第２副グループＧ１２のＹ電極に維持放電パルスのローレベル電圧でＶｓｃＨ−ＶｓｃＬ電圧を認可する。そして第２副グループＧ１１の残り維持期間Ｓｋ１３〜Ｓｋ１８及び第（ｋ＋１）サブフィールドＳＦ(ｋ＋１)の第１副グループＧ１１に対する維持期間Ｓ(Ｋ＋１)１１でも第２副グループＧ１２のＹ電極に維持放電パルスのローレベル電圧でＶｓｃＨ−ＶｓｃＬ電圧を認可する。そして第２副グループＧ１２のアドレス期間ＥＡ１２以前の維持期間Ｓ１１で第２副グループＧ１２のＹ電極に維持放電パルスのローレベル電圧でＶｓｃＨ−ＶｓｃＬ電圧が印加できる。そうすると、加重値２を有するサブフィールドを実現できる。
【００６２】
そして第１行グループＧ１の第ｋサブフィールドＳＦｋで、第１副グループＧ１１の維持期間Ｓｋ１１で第１副グループＧ１１のＹ電極に４個の維持放電パルスを印加した後、第１副グループＧ１１の残り維持期間Ｓｋ１２〜Ｓｋ１８でＸ電極に維持放電パルスのＶｓ電圧が印加される時、Ｙ電極に維持放電パルスのローレベル電圧でＶｓｃＨ−ＶｓｃＬ電圧を認可すると、加重値４を有するサブフィールドを実現できて、第１副グループＧ１１の維持期間Ｓｋ１１、Ｓｋ１２で第１副グループＧ１１のＹ電極に４個の維持放電パルスを印加した後、第１副グループＧ１１の残り維持期間Ｓｋ１３〜Ｓｋ１８でＸ電極に維持放電パルスのＶｓ電圧が印加される時、Ｙ電極に維持放電パルスのローレベル電圧でＶｓｃＨ−ＶｓｃＬ電圧を認可すると、加重値８を有するサブフィールドを実現することができる。
【００６３】
また、図５に示されたサブフィールドＳＦｋの加重値が３２と仮定すると、第２行グループＧ２で第１副グループＧ２１のアドレス期間の動作が実行される時、第１行グループＧ１のすべての副グループＧ１１〜Ｇ１８で維持放電が起こる。そして第２行グループＧ２で第１副グループＧ２１のアドレス期間の動作が実行される時、第１行グループＧ１の副グループＧ１１〜Ｇ１８のうち、６個の副グループＧ１１〜Ｇ１６だけで維持放電が起るサブフィールドは加重値２４を実現でき、４個の副グループＧ１１〜Ｇ１４だけで維持放電が起るサブフィールドは加重値１６を実現できる。また、２個の副グループＧ１１、Ｇ１２だけで維持放電が起るサブフィールドは加重値８を実現でき、１個の副グループＧ１１だけで維持放電が起るサブフィールドは加重値４を実現できる。そして１個の副グループＧ１１の維持期間のうち、一部だけで維持放電が起るサブフィールドは４より小さい加重値を実現できる。
【００６４】
そして図８Ａ及び図８ＢではＸ電極とＹ電極に維持放電が起こらないように維持放電パルスのローレベル電圧でＶｓｃＨ−ＶｓｃＬ電圧を印加することで示したが、Ｙ電極をフローティングさせることもできる。Ｙ電極をフローティングさせると、Ｙ電極の電圧がＸ電極の電圧に伴って変更されるので、Ｘ電極とＹ電極の間の電圧差が減って、発光セルで維持放電が起こらない。また、Ｘ電極とＹ電極のうちのいずれか一つの電極に継続してハイレベル電圧Ｖｓを印加したりローレベル電圧０Ｖを印加したりすることもできる。
【００６５】
一方、本発明の第１実施例の駆動方法では第１サブフィールドＳＦ１のアドレス期間直前のリセット期間Ｒですべての放電セルを初期化して、発光セル状態で設定するために、リセット放電を強い放電で行わなければならない。この場合、ブラック画面が明るく見えて、明暗比が低下される問題点がある。また、リセット期間Ｒだけにすべての放電セルを発光セルに設定できる程の壁電荷を形成することが難しい。
【００６６】
以下、明暗比を向上させ得ると共に、消去放電も安定的に起こせる方法について図９及び図１０を参照して詳細に説明する。
図９及び図１０は各々本発明の第３及び第４実施例によるプラズマ表示装置の駆動方法を概略的に示した図面である。両図は、図３のサブフィールドＳＦ１の代わりに、図９ではＳＦ１’（シングルダッシュ）、図１０では ＳＦ１”（ダブルダッシュ）を使って差異を表明し、アドレス期間・維持期間の記号も変えている。
【００６７】
図９に示したように、本発明の第３実施例による駆動方法は第１実施例と類似している。但し、第１実施例とは違い、第１サブフィールドＳＦ１’のアドレス期間ＷＡ１１、ＷＡ１２では選択的記入方式を使用する。そして第１サブフィールドＳＦ１’では各行グループＧ１、Ｇ２で複数の行電極を副グループ化せず、一つのアドレス期間ＷＡ１１、ＷＡ１２の間、複数の行電極によって、形成される放電セルのうちで発光セルを選択する。このように、選択的記入方式のアドレス期間ＷＡ１１、ＷＡ１２を有するサブフィールドＳＦ１’ではアドレス期間ＷＡ１１、ＷＡ１２直前に発光セルを非発光セルに初期化するリセット期間Ｒ’が形成される。つまり、前述の第１実施例で選択的消去方式のアドレス期間ＥＡ１１１〜ＥＡＬ１８、ＥＡ１２１〜ＥＡＬ２８直前のリセット期間Ｒでは放電セルを発光セル状態で初期化するが、選択的記入方式のアドレス期間ＷＡ１１、ＷＡ１２直前のリセット期間Ｒ’では発光セルを非発光セルに初期化する。
【００６８】
具体的に、第１サブフィールドＳＦ１’のリセット期間Ｒ’では第１及び第２行グループＧ１、Ｇ２の放電セルを初期化して、非発光セル状態で設定してアドレス期間ＷＡ１１、ＷＡ１２で記入放電が可能な状態に設定する。アドレス期間ＷＡ１１で第１行グループＧ１の放電セルのうち、発光セルに設定する放電セルを記入放電させて、壁電荷を形成し、維持期間Ｓ１１で第１行グループＧ１の発光セルを維持放電させる。次に、第１行グループＧ１の発光セルに形成されている壁電荷を消去する。そうすると、第１行グループＧ１の発光セルは第１行グループＧ１１の維持期間Ｓ２１１だけで発光する。
【００６９】
次に、アドレス期間ＷＡ１２で第２行グループＧ２の放電セルのうち、発光セルに設定する放電セルを記入放電させて、壁電荷を形成し、維持期間Ｓ１２で第２行グループＧ１２の発光セルを維持放電させた後、第２行グループＧ２の発光セルに形成されている壁電荷を消去する。
【００７０】
このように、本発明の第３実施例ではアドレス期間ＷＡ１１、ＷＡ１２で各々第１及び第２行グループＧ１、Ｇ２の複数の行電極に対して順次に記入放電が行われて、発光セルが選択された後に、維持期間Ｓ１１、Ｓ１２の動作が実行されて維持放電が起こる。このようにすると、選択的消去方式のアドレス期間を有するサブフィールドＳＦ２〜ＳＦＬが遂行される前に、発光セルの各電極に壁電荷を十分に形成できる。
【００７１】
一方、第１サブフィールドＳＦ１’で各行グループＧ１、Ｇ２の維持期間Ｓ１１、Ｓ１２以後に各行グループＧ１、Ｇ２の発光セルに形成されている壁電荷を消去するために、各行グループＧ１、Ｇ２の維持期間Ｓ１１、Ｓ１２で維持放電パルスの最後のパルス幅を壁電荷が形成されないように他の維持放電パルスの幅より狭くして実現できる。または、最後の維持放電パルス直後に漸進的に行電極の電圧を変更できる波形（例えば、ランプ形態に変更される波形）を使って、維持放電によって、形成された壁電荷を消去することもできる。
【００７２】
また選択的記入方式のアドレス期間ＷＡ１１〜ＷＡ１２直前のリセット期間Ｒ’では放電セルを非発光セルに初期化するために、漸進的に増加する電圧と漸進的に減少する電圧を利用して、リセット期間を実現できる。つまり、リセット期間Ｒ’では複数のＹ電極の電圧を漸進的に増加させた後、複数のＹ電極の電圧を漸進的に減少させて、実現できる。つまり、Ｙ電極の電圧が増加するうちのにＹ電極とＸ電極の間で微弱なリセット放電が起こりながら、放電セルに壁電荷が形成された後、Ｙ電極の電圧が減少するうちにＹ電極とＸ電極の間で微弱なリセット放電が起こりながら、放電セルに形成された壁電荷が消去されて、非発光セルに初期化できる。これによってリセット期間Ｒ１では強い放電が起こらないので明暗比が高められる。
【００７３】
しかし、図９に示された第３実施例のように、各行グループＧ１、Ｇ２の維持期間Ｓ１１、Ｓ１２以後に各行グループＧ１、Ｇ２の放電セルに形成されている壁電荷を消去するための消去動作を行えないこともある。
【００７４】
具体的に、図１０に示したように、第１サブフィールドＳＦ１”のアドレス期間ＷＡ１１で第１行グループＧ１の放電セルのうち、発光セルに設定する放電セルを記入放電させて、壁電荷を形成し、維持期間Ｓ１１で第１行グループＧ１の発光セルを維持放電させる。この時、維持期間Ｓ１１では最小限の維持放電、例えば、１回または２回の維持放電だけ起こるように設定する。
【００７５】
次に、第１サブフィールドＳＦ１”のアドレス期間ＷＡ１２で第２行グループＧ２の放電セルのうち、発光セルに設定する放電セルを記入放電させて、壁電荷を形成し、維持期間Ｓ１２のうちの一部期間Ｓ１２１で第１及び第２行グループＧ１、Ｇ２の発光セルを維持放電させる。そして維持期間Ｓ１２のうち、残り一部期間Ｓ１２２で第１行グループＧ１の発光セルを維持放電が起こらないように設定した状態で第２行グループＧ２の発光セルだけ維持放電させて第１行グループＧ１の発光セルでは維持放電させない。この時、維持期間Ｓ１２のうち、残り一部期間Ｓ１２２で第２行グループＧ２の発光セルで維持放電が起る回数は維持期間Ｓ１２で第１行グループＧ１の発光セルで維持放電が起る回数と同一に設定される。
【００７６】
また、二つの維持期間Ｓ１１、Ｓ１２によって第１サブフィールドＳＦ１”の加重値が満足されない場合には維持期間Ｓ１２のうち、残り一部期間Ｓ１２２で第１及び第２行グループＧ１、Ｇ２の発光セルを追加的に維持放電させられる。
【００７７】
そして本発明の第１乃至第３実施例では一つのフィールドの最後のサブフィールドＳＦＬで第１及び第２行グループＧ１、Ｇ２の消去期間ＥＲ１１２〜ＥＲ１１８、ＥＲ１２２〜ＥＲ１２８及び追加維持期間ＳＡ１２〜ＳＡ１８、ＳＡ２２〜ＳＡ２８が形成されているが、これを削除することもできる。消去期間ＥＲ１１２〜ＥＲ１１８、ＥＲ１２２〜ＥＲ１２８及び追加維持期間ＳＡ１２〜ＳＡ１８、ＳＡ２２〜ＳＡ２８が削除される場合、複数のフィールドにかけて各行グループＧ１、Ｇ２で各々の副グループＧ１１〜Ｇ１８、Ｇ２１〜Ｇ２８のアドレシング順序を変更すれば良い。そうすると、各行グループの維持放電回数を同一にすることができる。
【００７８】
また本発明の第１乃至第３実施例とは違い、各行グループの維持放電回数を同一にするために第１及び第２行グループＧ１、Ｇ２の消去期間ＥＲ１１２〜ＥＲ１１８、ＥＲ１２２〜ＥＲ１２８の動作が実行される時点から維持放電が起こらないように設定することもできる。つまり、図８Ａまたは図８Ｂに示されているように、第１及び第２行グループＧ１、Ｇ２の消去期間ＥＲ１１２〜ＥＲ１１８、ＥＲ１２２〜ＥＲ１２８の動作が実行される時点からＸ電極に維持放電パルスのＶｓ電圧が印加する時、Ｙ電極にＶｓｃＨ−ＶｓｃＬ電圧を印加して、Ｘ電極に０Ｖ電圧が印加する時、Ｙ電極にＶｓ電圧を認可する。そうすると、第１及び第２行グループＧ１、Ｇ２の消去期間ＥＲ１１２〜ＥＲ１１８、ＥＲ１２２〜ＥＲ１２８の動作が実行される時点から維持放電が起らない。
【００７９】
一方、本発明の第３実施例の場合、選択的消去方式で走査パルスの幅が０．７μsであり、一つの維持期間で８個の維持放電パルスが入り、一つの維持放電パルス（ハイレベル電圧とローレベル電圧を有するパルス）が入る時間が５．６μsであり、この条件で１０２４個の行電極を駆動すると仮定すれば、維持期間の長さは４４．８μs（＝５．６μs×８）であり、アドレス期間の長さは４４．８μs（＝０．７μs×６４行）である。従って、一つのサブフィールドの長さは７１６．８μs（＝４４．８μs×１６）になる。そして選択的記入方式で走査パルスの幅が１．３μsであり、リセット期間の長さが３５０μsの場合、アドレス期間の長さは６６５．６μs（=１．３μs×５１２行）である。この時、加重値が１である場合、維持期間Ｓ１１で１個の維持放電パルスが印加され、維持期間Ｓ１２で１．５個の維持放電パルスが印加されることとして仮定すれば、総維持期間Ｓ１１＋Ｓ１２の長さは１４μs（＝５．６μs×２．５）となる。従って、サブフィールドＳＦ１の長さは１６９５．２μs（=３５０μｓ＋６６５．６μs×２＋１４μs）となる。
【００８０】
つまり、第３実施例の場合、一つのフィールドで選択的消去方式のサブフィールドに割当される時間は１４９７０．８μs（＝１６６６６−１６９５．２）であるから、一つのフィールドで選択的消去方式のサブフィールドは２０（＝１４９７０．８／７１６．８）個のサブフィールドを使用できる。
【００８１】
そして図５ではＶｓ電圧と０Ｖ電圧を交互に有する維持放電パルスをＹ電極とＸ電極に反対位相で印加する場合について説明したが、他の形態の維持放電パルスが認可される場合にも本発明が適用できる。つまり、Ｘ電極が０Ｖ電圧でバイアスされた状態でＹ電極にＶｓ電圧と−Ｖｓ電圧を交互に有する維持放電パルスが認可される場合にも、本発明が適用される。
【００８２】
以上で本発明の実施例に対して詳細に説明したが本発明の権利範囲はこれに限定されず、本発明の請求範囲で定義している基本概念を利用した当業者の色々な変形及び改良形態もまた、本発明の権利範囲に属する。
【図面の簡単な説明】
【００８３】
【図１】本発明の実施例によるプラズマ表示装置を示すブロック図である。
【図２】本発明の実施例によるプラズマ表示装置の駆動方法に適用される各電極のグループ割当てを示した図面である。
【図３】本発明の第１実施例によるプラズマ表示装置の駆動信号印加を示したタイミング図面である。
【図４】図３の駆動方法をサブフィールドだけの配列で表示した図面である。
【図５】図３に示された駆動方法に対する具体的なプラズマ表示装置の駆動波形を示した図面である。
【図６】図３の駆動方法を用いた第１実施例による階調表現方法を示した図面である。
【図７】図３の駆動方法を用いた第２実施例による階調表現方法を示した図面である。
【図８Ａ】第１行グループＧ１のサブフィールドＳＦ１〜ＳＦ６の加重値を実現するための方法を示した波形図である。
【図８Ｂ】第１行グループＧ１のサブフィールドＳＦ１〜ＳＦ６の加重値を実現するための方法を示した波形図である。
【図９】本発明の第３実施例によるプラズマ表示装置の駆動信号印加を示したタイミング図面である。
【図１０】本発明の第４実施例によるプラズマ表示装置の駆動信号印加を示したタイミング図面である。
【符号の説明】
【００８４】
１２      セル
１００    プラズマ表示パネル
２００    制御部
３００    アドレス電極駆動部
４００    走査電極駆動部
５００    維持電極駆動部
Ａ1〜Ａm    アドレス電極
Ｘ１〜Ｘｎ      維持電極
Ｙ1〜Ｙn      走査電極
ＳＦ１〜ＳＦＬ    サブフィールド
【図１】
2007114783.tif 000003
【図２】
2007114783.tif 000004
【図３】
2007114783.tif 000005
【図４】
2007114783.tif 000006
【図５】
2007114783.tif 000007
【図６】
2007114783.tif 000008
【図７】
2007114783.tif 000009
【図８Ａ】
2007114783.tif 000010
【図８Ｂ】
2007114783.tif 000011
【図９】
2007114783.tif 000012
【図１０】
2007114783.tif 000013